(57)【要約】【課題】曲面状に配置できる太陽電池付きルーバー装置を提供する。【解決手段】本発明にかかる太陽電池付きルーバー装置１は、横材５と、複数の太陽電池付きルーバー７と、ブラケット９とを備え、横材５は垂直面１６を有すると共に長手方向に湾曲部分１３を有し、太陽電池付きルーバー７は平板形状であると共に長辺を垂直に配置した縦型であり、横材５の垂直面１６に面付けした状態で横方向に列設して且つ隣り合う隙間間隔Ｓ１、Ｓ２、Ｓ３を調整自在に配置してあり、ブラケット９は各太陽電池付きルーバー７の背面部に取り付けた状態で横材５に固定している。【選択図】図１
2020051250.tif 000002
【特許請求の範囲】
【請求項１】
横材と、複数の太陽電池付きルーバーと、ブラケットとを備え、横材は垂直面を有すると共に長手方向に湾曲部分を有し、太陽電池付きルーバーは平板形状であると共に長辺を垂直に配置した縦型であり、横材の垂直面に面付けした状態で横方向に列設して且つ隣り合う隙間間隔を調整自在に配置してあり、ブラケットは各太陽電池付きルーバーの背面部に取り付けた状態で横材に固定していることを特徴とする太陽電池付きルーバー装置。
【請求項２】
横材とブラケットに跨ってブラケットの脱落を防止する外れ止めが設けてあることを特徴とする請求項１に記載の太陽電池付きルーバー装置。
【発明の詳細な説明】
【技術分野】
【０００１】
本発明は、太陽電池付きルーバー装置に関する。  
【背景技術】
【０００２】
図９及び図１０に示すように、従来の太陽電池付きルーバー装置８１は、太陽電池付きルーバー８３が長辺を横にした横型のものであり、垂直面状に配置して縦材８５に取り付けていた。
しかし、従来の太陽電池付きルーバー８３は、垂直面状に列設するものに限られており、曲面に対応できるものがなかった。
【先行技術文献】
【特許文献】
【０００３】
【特許文献１】なし
【発明の概要】
【発明が解決しようとする課題】
【０００４】
これに対して、曲面状に配置できる太陽電池付きルーバー装置が求められていた。
【０００５】
そこで、本発明は、曲面状に配置できる太陽電池付きルーバー装置の提供を目的とする。
【課題を解決するための手段】
【０００６】
請求項１に記載の発明は、横材と、複数の太陽電池付きルーバーと、ブラケットとを備え、横材は垂直面を有すると共に長手方向に湾曲部分を有し、太陽電池付きルーバーは平板形状であると共に長辺を垂直に配置した縦型であり、横材の垂直面に面付けした状態で横方向に列設して且つ隣り合う隙間間隔を調整自在に配置してあり、ブラケットは各太陽電池付きルーバーの背面部に取り付けた状態で横材に固定していることを特徴とする太陽電池付きルーバー装置である。  
【０００７】
請求項２に記載の発明は、請求項１に記載の発明において、横材とブラケットに跨ってブラケットの脱落を防止する外れ止めが設けてあることを特徴とする。
【発明の効果】
【０００８】
請求項１に記載の発明によれば、太陽電池付きルーバーは、平板形状の長辺を垂直に配置した縦型であり、隣り合う太陽電池付きルーバーの隙間間隔を調整自在に配置しているので、曲面状に配置できると共に曲面に対してバランス良い間隔で設置できる。
太陽電池付きルーバーを垂直に配置して太陽電池が太陽光を受けるので、地面からの反射光等のいずれの方向からの光をも採り込むことができる。
太陽電池付きルーバーは、横材の垂直面に面付けしているので、安定に取付けできる。また、太陽電池付きルーバーを垂直面に面付けすることで、東方向や西方向等の太陽の方向や角度が広い範囲で太陽光を採り込むことができる。
【０００９】
請求項２に記載の発明によれば、請求項１に記載の作用効果を奏すると共に、ブラケットの脱落を防止することで、太陽電池付きルーバーの落下を防止することができる。
【図面の簡単な説明】
【００１０】
【図１】本発明の実施の形態にかかる太陽電池付きルーバー装置の横断面である。
【図２】図１に示すＦ−Ｆ断面図である。
【図３】図１に示す各部の太陽電池付きルーバーの配置状態を示した正面図であり、（ａ）は図１のＡ部、（ｂ）は図１のＢ部、（ｃ）は図１のＣ部である。
【図４】図１に示す取付具を抜き出して示す図であり、（ａ）は平面図、（ｂ）は背面図である。
【図５】図４に示すブラケットの図であり、（ａ）は側面図、（ｂ）は背面図である。
【図６】図４に示す抜け止めの図であり、（ａ）は正面図、（ｂ）は平面図、（ｃ）は側面図である。
【図７】図２に示す倒れ防止部品の図であり、（ａ）は太陽電池付きルーバーに取り付けた状態を示す平面図、（ｂ）は背面図、（ｃ）は底面図、（ｄ）は側面図である。
【図８】図２に示す横材の一部を抜き出して示す斜視図である。
【図９】従来の太陽電池付きルーバー装置の正面図である。
【図１０】図９に示す従来の太陽電池付きルーバー装置の側面図である。
【発明を実施するための形態】
【００１１】
以下に、添付図面の図１〜図７を参照して本発明の実施の形態について説明する。  
図１〜図３に示すように、本実施の形態にかかる太陽電池付きルーバー装置１は、コンクリート製の外壁３の外側壁面３ａに設置してあり、横材５と、太陽電池付きルーバー７と、ブラケット９とを備えている。
図１に示すように、横材５は外側壁面３ａに沿って左右方向に連続しており、左右方向の一部に湾曲部分１３が形成してあり、湾曲部分１３の左右方向両側に直線部分１５が形成してある。
図２に示すように、横材５は、縦断面Ｌ字形状を成しており、Ｌ字の一側を垂直部５ａにして、他側を水平部５ｂにしている。横材５は、上下方向３箇所に所定間隔をあけて配置している。
各横材５の水平部５ｂは、外壁３の外側壁面３ａにアンカー１９で固定した支持部材１７にボルト２１及びナット２３で固定している。支持部材１７は縦断面Ｌ字形状のアングル材であり、図１に示すように、左右方向に間隔をあけて外壁３に固定している。支持部材１７において、横材５の水平部５ｂを支持している支持部１７ｂには左右方向に長いボルト挿入孔２４が形成してある。
一方、図８に示すように、横材５の水平部５ｂには、外壁３に対して内外方向に長いボルト挿入孔２５が形成してある。横材５の垂直部５ａには、太陽電池付きルーバー７の取り付け位置に、上端から上下方向に長いボルト挿入溝２６が形成してある。尚、図２では、ボルト挿入溝２６はハッチで示している。また、横材５の垂直部５ａの外側面が垂直面１６になっている。
【００１２】
図１〜図３に示すように、太陽電池付きルーバー７は、平板形状であり長辺を垂直に配置した縦型である。この太陽電池付きルーバー７は、ルーバー本体７ａと、太陽電池パネル７ｂとを備えており、ルーバー本体７ａの正面側（外側）に設けたパネル保持部２７に太陽電池パネル７ｂが保持されている。隣り合う太陽電池パネル７ｂは図示していないが、互いに配線で接続している。また、太陽電池パネル７ｂは、太陽光受け面を垂直にして設けてある。
図１に示すように、ルーバー本体７ａの背面（内側面）には、左右両側に中空状の支持部２９が設けてあり、左右の支持部２９、２９間はブラケット９を配置するブラケット取付空間３１としている。左右の支持部２９、２９には各々ブラケット取付空間３１に向けて突設する被係合部３２（図４参照）が設けてある。各被係合部３２は上下方向に形成された溝条部である。
【００１３】
図４及び図５に示すように、ブラケット９は平面視長方形状の平板部材であり、左右端部に各々被係合部３２に係合する係合突起３３が形成してあり、平板部材の略中央部にボルト挿通孔３５が形成されている。図４に示すように、本実施の形態では、ブラケット９には、外れ止め３７が重ねて取り付けてあり、ブラケット９と外れ止め３７と後述するボルト４１及びナット４３とで太陽電池付きルーバー７の取付具４０を構成している。
外れ止め３７は、図４及び図６に示すように、正面視長方形状の正面壁部３７ａと、正面壁部３７ａの上下で横材５に跨って配置する突設部３７ｂとが形成してあり、図６（ｃ）に示すように、側面視コ字形状を成している。正面壁部３７ａの略中央部にボルト挿通孔３９が形成してある。
図４に示すように、ブラケット９はその外側面に外れ止め３７の正面壁部３７ａを重ねた状態で、図１及び図２に示すように、横材５の垂直部５ａに形成したボルト挿入溝２６に挿入したボルト４１をナット４３で固定することで、横材５の垂直面１６に面付けしてある。
【００１４】
図２に示すように、上下に３つ配置した横材５のうち、最上の横材５には、倒れ防止部材４５が係合してある。図２及び図７に示すように、倒れ防止部材４５は、ルーバー本体７ａの左右に設けた各支持部２９の背面（内側面）にねじ４７で止めるねじ止め部４５ａと、横材５の垂直部５ａに上から跨って係合する係合部４５ｂとを備えている。
【００１５】
図１及び図３に示すように、複数の太陽電池付きルーバー７は、隣り合う隙間間隔を横材５の湾曲部分１３と直線部分１５とで異にしている。また、同じ直線部分１５でも場所や状況に応じて隙間間隔を異ならせてある。
具体的には、直線部分１５であるＡ部（図３（ａ）参照）の隙間間隔Ｓ１よりもＢ部（図３（ｂ）参照）の湾曲部分１３の隙間間隔Ｓ２を大きくしており、例えば、Ｓ１は２５ｍｍ、Ｓ２は５４ｍｍである。また、同じ直線部分１５でもＣ部（図３（ｃ）参照）における隙間間隔Ｓ３は、湾曲部分１３における隙間間隔Ｓ２よりも大きく、例えばＳ３は７５ｍｍとしてある。
【００１６】
次に、本実施の形態にかかる太陽電池付きルーバー装置１の施工について説明する。
まず、図８に示すように、横材５には、水平部５ｂに予め所定位置にボルト挿入孔２５を形成しておくと共に、垂直部５ａに所定間隔で、太陽電池パネル付きルーバー７を取り付けるためのボルト挿入溝２６を形成しておく。
一方、図１及び図２に示すように、外壁３の外側壁面３ａには支持部材１７をアンカー１９で固定する。
そして、図２に示すように、支持部材１７の支持部１７ｂに横材５の水平部５ｂを載置して支持部材１７のボルト挿入孔２４と横材５のボルト挿入孔２５とにボルト２１を上から挿通して下からナット２３で締め付けて各支持部材１７に横材５を固定する。
次に、横材５に各太陽電池付きルーバー７を取り付けるが、太陽電池付きルーバー７の取り付けは、以下のようにしておこなう。まず、図４に示すように、ブラケット９に外れ止め３７を重ねてボルト４１及びナット４３で仮止めした状態の取付具４０を、ルーバー本体７ａのブラケット取付空間３１に配置して、ブラケット９の左右の係合突起３３を各々、支持部２９の被係合部３２に係合し、ボルト４１の軸を横材５の垂直部５ａに形成してあるボルト挿入溝２６に上から挿入して垂直部５ａの背面側（内側）からナット４３を締め付ける。
更に、図２に及び図７に示すように、ルーバー本体７ａの上部では、一番上に位置する横材５の垂直部５ａの上端に背面側から倒れ防止部材４５の係合部４５ｂを当てて、ルーバー本体７ａの支持部２９にねじ止め部４５ａをねじ４７で止める。
【００１７】
本実施の形態にかかる太陽電池付きルーバー装置１の作用効果について説明する。
図１及び図３に示すように、太陽電池付きルーバー７は、平板形状の長辺を垂直に配置した縦型であり、隣り合う太陽電池付きルーバー７の隙間間隔Ｓ１、Ｓ２、Ｓ３を調整自在に配置しているので、曲面状に配置できると共に曲面に対してバランス良い間隔で設置できる。本実施の形態では、横材５の垂直部５ａに予め所定間隔でボルト挿入溝２６を形成しておくことで、隣り合う太陽電池付きルーバー７を所定の隙間間隔Ｓ１、Ｓ２、Ｓ３で取り付けることができるから、施工現場での施工が容易である。
太陽電池付きルーバー７は太陽電池パネル７ｂを垂直に配置して太陽電池パネル７ｂが太陽光を受けるので、地面からの反射光等のいずれの方向からの光をも採り込むことができる。また、太陽電池付きルーバー７を垂直にしているから、太陽電池パネル７ｂの受光面に雪や塵等が付着し難い。
太陽電池付きルーバー７は、横材５の垂直面１６に面付けしているので、安定に取付けできる。また、太陽電池付きルーバー７を垂直面１６に面付けすることで、東方向や西方向等の太陽の方向や角度が広い範囲で太陽光を採り込むことができる。
横材５とブラケット９に跨って外れ止め３７を設けてあるから、例えばボルト４１やナット４３が緩んでブラケット９が下がろうとした場合に、外れ止め３７の上方の突設部３７ｂが横材５に上から当接してブラケット９を保持する。このように、ブラケット９の脱落を防止することで、太陽電池付きルーバー７の落下を防止することができる。
【００１８】
最も上に位置する横材５に対応する太陽電池付きルーバー７には、横材５に係合する倒れ防止部材４５を取り付けてあるので、太陽電池付きルーバー７の施工時や台風等による外力を受けた場合に太陽電池付きルーバー７の倒れを防止できる。
横材５には、垂直部５ａの上端からボルト４１の軸を挿入するボルト挿入溝２６を形成して、ボルト４１をブラケット９に仮止めした状態でボルト挿入溝２６に垂直部５ａの上方から挿通してナット４３を締め付けて固定できるので、施工が容易にできる。
外れ止め３７は、横材５の上端を跨るように突設部３７ｂを形成するだけであるから、構成が簡易である。
太陽電池付きルーバー７のルーバー本体７ａには、その背面にブラケット９を係合してブラケット９を横材５に固定しているので、ブラケット９やボルト４１及びナット４３等の取付具４０が正面から見えないので意匠性が良い。
ルーバー本体７ａの背面には、左右の支持部２９間にブラケット取付空間３１を形成してあり、ブラケット取付空間３１にブラケット９を配置する構成としているので、コンパクトな構成で太陽電池付きルーバー７を横材５に固定できる。
【００１９】
本発明は、上述した実施の形態に限定されるものではなく、その要旨を逸脱しない範囲で種々変形可能である。  
例えば、横材５は、垂直面１６を有するものであれば、角材であっても良いし、Ｈ型材であってもよく、形状は限定されない。
また、横材５は外壁３に取り付けることに限らず、支柱間に架設しても良い。
太陽電池付きルーバー装置１は、外壁に設けることに限らず、屋上に設けても良いし、外階段を囲うスクリーンや、建物の外装、防護柵等として設けるものであっても良く、目的や仕様は制限されない。
太陽電池付きルーバー７の横材５へ取り付けは、ボルト４１の軸を横材５の垂直部５ａに予め形成したボルト挿入溝２６に挿通して取り付けることに限らず、横材５の垂直部５ａを把持する取付具で取り付けても良く、太陽電池付きルーバー７の取り付け方法は限定されない。
外れ止め３７の突設部３７ｂは、正面壁部３７ａの上下両方に設けることに限らず、上方のみに設けても良い。
【符号の説明】
【００２０】
１    太陽電池付きルーバー装置
５    横材
７    太陽電池付きルーバー
９    ブラケット
１３  湾曲部分
１６  垂直面
３７  外れ止め
Ｓ１、Ｓ２、Ｓ３  隙間間隔
【図１】
2020051250.tif 000003
【図２】
2020051250.tif 000004
【図３】
2020051250.tif 000005
【図４】
2020051250.tif 000006
【図５】
2020051250.tif 000007
【図６】
2020051250.tif 000008
【図７】
2020051250.tif 000009
【図８】
2020051250.tif 000010
【図９】
2020051250.tif 000011
【図１０】
2020051250.tif 000012
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
横材と、複数の太陽電池付きルーバーと、ブラケットと、外れ止めを備え、横材は垂直面を有しており、太陽電池付きルーバーは平板形状であると共に長辺を垂直に配置した縦型であり、横材の垂直面に面付けした状態で横方向に列設して配置してあり、ブラケットは各太陽電池付きルーバーの背面に取り付けた状態で横材の垂直面に固定してあり、外れ止めはブラケットと共に横材の垂直面に固定してあり、少なくとも上端に横材の上方に突出する突設部を有することを特徴とする太陽電池付きルーバー装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
請求項１に記載の発明は、横材と、複数の太陽電池付きルーバーと、ブラケットと、外れ止めを備え、横材は垂直面を有しており、太陽電池付きルーバーは平板形状であると共に長辺を垂直に配置した縦型であり、横材の垂直面に面付けした状態で横方向に列設して配置してあり、ブラケットは各太陽電池付きルーバーの背面に取り付けた状態で横材の垂直面に固定してあり、外れ止めはブラケットと共に横材の垂直面に固定してあり、少なくとも上端に横材の上方に突出する突設部を有することを特徴とする太陽電池付きルーバー装置である。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項１に記載の発明によれば、ブラケットの脱落を防止することで、太陽電池付きルーバーの落下を防止することができる。